(57)【特許請求の範囲】
【請求項１】
長手方向を有する櫛本体から突設した複数本の櫛歯が配列してある櫛において、
前記櫛歯は、突設方向の途中に段差部を形成しており、
前記櫛歯における先端側から前記段差部へ至る第一範囲部は、前記段差部から根元側へ至る第二範囲部に比べて、前記櫛歯の突設方向に直交する方向の寸法を小さくしてあり、
前記段差部は、前記櫛歯の根元側へ広がるように前記突設方向に対して斜めに形成してあることを特徴とする櫛。
【請求項２】
前記段差部は、隣接する櫛歯間で表出するように形成してある請求項１に記載の櫛。
【請求項３】
前記段差部は、前記櫛本体の長手方向に沿った方向から前記櫛歯が見られた場合に、前記櫛歯の外周に表出するように形成してある請求項１又は請求項２に記載の櫛。
【請求項４】
前記段差部は、複数設けてある請求項１乃至請求項３のいずれか１項に記載の櫛。
【請求項５】
前記第一範囲部は、前記先端側から前記段差部へ広がるようにテーパー状に形成してある請求項１乃至請求項４のいずれか１項に記載の櫛。
【請求項６】
前記第二範囲部は、前記段差部から前記根元側へ広がるようにテーパー状に形成してある請求項１乃至請求項５のいずれか１項に記載の櫛。
【請求項７】
前記複数本の櫛歯の中で、連続して隣接する３本以上の各櫛歯の先端高さを、それぞれ相違させてある請求項１乃至請求項６のいずれか１項に記載の櫛。
【請求項８】
前記複数本の櫛歯の中で、連続して隣接する櫛歯間の３箇所以上の各歯底は、底深さをそれぞれ相違させてある請求項１乃至請求項７のいずれか１項に記載の櫛。
【請求項９】
前記段差部が形成された複数本の櫛歯の配列と平行に、段差部が形成されていない複数本の櫛歯が配列してあり、
前記段差部が形成されていない各櫛歯の間隔は、前記段差部が形成された各櫛歯の間隔に比べて広くしてある請求項１乃至請求項８のいずれか１項に記載の櫛。
【請求項１０】
前記段差部が形成された複数本の櫛歯の配列と平行で且つ前記配列の両側に、段差部が形成されていない複数本の櫛歯がそれぞれ配列してあり、
前記段差部が形成されていない各櫛歯の間隔は、前記段差部が形成された各櫛歯の間隔に比べて広くしてあり、
前記段差部が形成された複数本の櫛歯の中のいずれかは両側を、前記段差部が形成されていない複数本の櫛歯の中のいずれかにより挟まれるようにしてある請求項１乃至請求項８のいずれか１項に記載の櫛。
【請求項１１】
前記段差部が形成されていない櫛歯は、前記段差部が形成された櫛歯に比べて長くしてある請求項９又は請求項１０に記載の櫛。
【請求項１２】
前記段差部が形成された櫛歯は、前記段差部が形成されていない櫛歯に比べて長くしてある請求項９又は請求項１０に記載の櫛。
【請求項１３】
前記段差部が形成された複数本の櫛歯の中の一部は、前記段差部が形成されていない櫛歯に比べて長くしてあり、
前記段差部が形成された複数本の櫛歯の中の他部は、前記段差部が形成されていない櫛歯に比べて短くしてある請求項９又は請求項１０に記載の櫛。
【請求項１４】
前記段差部が形成された櫛歯に係る歯底は、前記櫛本体の幅方向における中央箇所で凸となるように形成してある請求項１乃至請求項１３のいずれか１項に記載の櫛。
【発明の詳細な説明】
【技術分野】
【０００１】
本発明は、櫛本体から突設する複数本の櫛歯を配列した櫛において、特に逆毛のセットを効率良く行えるように櫛歯の形状等に工夫を施した櫛に関する。
【背景技術】
【０００２】
従来より様々な形態の櫛（コーム）が存在しており、このような櫛はユーザが自身の整髪等に用いる以外に、美容師・理容師等が客の整髪（頭髪のセット）又は毛髪カットの際に使用される。櫛を用いた整髪の仕方には様々な手法が存在し、整髪の仕方の中の一つとして逆毛のセット（逆毛を立てるという手法）がある。【０００３】
図２１は、逆毛の形成の仕方（逆毛の立て方）の一例を示し、前髪から取り出した一定量の毛髪束をユーザの頭部から引っ張り上げた状態にし、その毛髪束に差し込んだ櫛（コーム）を、毛髪の先端側から根元側へしごくように移動させることで（図１９中の矢印方向へ移動）、毛髪束の根元箇所（根元範囲）に、丸まった毛髪部分からなる逆毛を形成する（逆毛を立てる）。このような丸まった毛髪部分（逆毛）により、ボリューム感のある頭髪スタイルに仕上げられる。なお、図２１では、毛髪の根元箇所に逆毛を形成する例を示したが、毛髪の中間箇所（中間範囲）又は先端箇所（先端範囲）のいずれかの箇所、若しくは根元から先端の全ての範囲の箇所に逆毛を形成することも可能である。また、形成した逆毛をベースにして頭髪スタイルを仕上げるには、櫛歯間隔の狭い櫛（いわゆる密歯の櫛）を用いて、逆毛表面を撫で付ける整髪を行うことで、逆毛表面の毛髪が一定方向に流れるようにして最終的なセットを行うのが一般的であり、この際、逆毛周囲の毛髪で逆毛表面を覆うように整髪することもある。このような逆毛による頭髪のセットは、毛髪の細い人の頭髪に対してボリューム感が出すのに有効であり、毛髪の細い人が多い傾向のある欧米等で人気のあるセットの仕方になっている。【０００４】
上述した逆毛の形成に用いられる従来の櫛の例としては、特許文献１で櫛歯の全長を非常に短くした（３〜７ｍｍ）櫛が開示されている。また、特許文献２では、通常の櫛歯（第１の櫛歯）に加えて、櫛本体の側面部に側方へ突設する第２の櫛歯を形成することで、バックコームによって毛髪のボリューム感を持続させるようにした櫛が開示されている。【０００５】
なお、逆毛セットとは無関係であるが、形状的に特徴のある櫛の例として、特許文献３〜８で開示されるものを示すと、例えば、特許文献３では、隣接する櫛歯間の底側を閉塞した櫛が開示されており、特許文献４では、１つおきに浅い切込みを有する歯を設けた櫛が開示されている。また、特許文献５では、背の高い歯と低い歯を順次並列させると共に、低い歯の上部に歯先を設けた櫛が開示されており、さらに特許文献６では、太い歯の群と、細い歯の群とを交互に配置した櫛が開示されている。【０００６】
特許文献７では、歯元の一部に歯の異なる長さの部分を設けることで突起部（凸）を形成したシャギーカット用の櫛が開示されており、また、特許文献８では、長い第１の歯と、短い第２の歯とを配列して、各歯の歯先を凹凸状（ジグザク状）にした櫛が開示されている。
【先行技術文献】
【特許文献】
【０００７】
【特許文献１】実用新案登録第３１３９０９５号公報
【特許文献２】実用新案登録第３１０７３９９号公報
【特許文献３】特開平９−１５４６２５号公報
【特許文献４】実開昭５０−６５６９５号公報
【特許文献５】特開２００１−７８８２６号公報
【特許文献６】実公昭７−８９１１号公報
【特許文献７】実用新案登録第３１１９１９１号公報
【特許文献８】特開平１０−２１５９４３号公報
【発明の概要】
【発明が解決しようとする課題】
【０００８】
特許文献１に係る櫛は、櫛歯の長さが極端に短いため、櫛歯間に収まる毛髪量が少なくなり、それに伴い形成される逆毛の量も限られるので、ボリューム感を出すには何度も逆毛を形成する手順を繰り替えす必要が生じ手間がかかると共に、また、一部の毛髪が毛玉的に小さく部分的に丸まり、全体として均等にボリューム感のある逆毛を形成しにくいという問題がある。さらに、特許文献１に係る櫛で、逆毛を形成するには歯底に毛髪を押し当てることになるが、特許文献１に係る櫛では歯底の深さが一定であるため、セット対象の毛髪が均一に歯底に当たり、毛髪に対して強く櫛を押し当てないと、逆毛のセットに適したテンション（櫛を毛髪に押し当てることで得られるテンション）が得にくいという問題もある。【０００９】
特許文献２に係る櫛については、逆毛のセットを行う際、バックコームによるボリューム感の持続性を高めるため、第１の櫛歯と第２の櫛歯の両方を使用する必要があるため、通常の櫛を用いる場合と大幅に使い方が異なるので、各櫛歯（第１の櫛歯および第２の櫛歯）の使い方に特別な技術が要求されるという問題がある。【００１０】
また一般に、逆毛のセットで効率良く逆毛を立たせるには、毛先から根元側へ櫛で毛髪を梳く際、毛髪の櫛に対する引っ掛かり（櫛で引っ張られる度合、毛髪にかかるテンション、櫛と毛髪の抵抗等に相当）の度合を、毛髪を傷めない（毛の表面を傷つけない）程度の範囲で、適度に大きくすることが重要となる。上述した特許文献３〜８に係る各櫛を仮に、逆毛のセットに転用したとしても、逆毛のセットに必要な所要量の毛髪に対して適度な引っ掛かりを得られない、又は引っ掛かりすぎて毛髪を傷める等の問題が生じる。【００１１】
たとえば、特許文献３に係る櫛は、染色用に毛束を取り分けるために、通常の櫛に比べて各櫛歯間の隙間が大きくしてあるため、逆毛のセットの際、櫛歯間の抵抗が少なくなり、櫛歯間での毛髪が引っ掛かりにくいので適度なテンションが得られないと共に、ダイレクトに櫛歯間の歯底に毛髪は引っ掛かるので、歯底のエッジで毛髪を傷めやすい。また、特許文献４に係る櫛では、浅い切込みを有する歯において毛髪が浅い切り込みから抜けやすいので、浅い切り込みで十分な量の毛髪を逆毛にセットできないと共に、浅い切り込みと通常の歯底では深さの差が大きすぎるので、均等感のある逆毛をセットしにくい。このような特許文献４に係る櫛での問題は、特許文献５に係る櫛も、広い幅の先端側の歯底と櫛本体側の歯底で深さの差が大きすぎる構成であることから同様に生じ、背の低い歯の上部に設けられた歯先から毛髪は抜けやすいので、逆毛のセットを効率良く行えない。
【００１２】
特許文献６に係る櫛は、日本の伝統的な黄楊櫛（つげの木で作った櫛）であり、そもそも逆毛のセットに使用することは考慮されていない上、無理矢理使用したとしても、太い歯の群では太い歯同士の間隔が大きいため、毛髪が引っ掛かりにくく良好に逆毛をセットできないと共に、各箇所のエッジが鋭いので毛髪を傷めやすい。また、特許文献７に係る櫛は、歯の根元側の大きな一つの突起部が邪魔になって、逆毛を立たせにくい。さらに、特許文献８に係る櫛は、長い第１の歯と、短い第１の歯とでは、長手方向の中央箇所以外で、歯間の歯底深さが同一であることから、歯底に引っ掛かる毛髪のテンションも一様となり、均等感のある逆毛を形成しにくいという問題がある。なお、合成樹脂製の櫛で品質の良好でない製品では、櫛歯の外周にバリが突出するものがあり、このようなバリの突出した櫛を用いると、毛髪が引っ掛かりやすくなり、逆毛を立てやすいことが実務的に知られているが、バリは薄く鋭い外周を有することから、このようなバリにより毛髪が必要以上に傷つけられる問題がある。【００１３】
本発明は斯かる事情に鑑みてなされたものであり、櫛歯の突設方向の途中に段差部を設けることで、逆毛セットの際の毛髪の引っ掛かり箇所を新たに生じさせ、毛髪をできるだけ傷つけることなく、逆毛セットに必要な適度のテンションを得られやすくした櫛を提供することを目的とする。
また、本発明は、櫛歯の先端側から段差部へ至る範囲の部分、又は段差部から根元側へ至る範囲の部分をテーパー状にすることにより、櫛歯自体の外周も毛髪の抵抗になりやすい形状にして、逆毛セットに必要な適度のテンションを得られやすくした櫛を提供することを目的とする。
さらに、本発明は、各櫛歯の先端高さ、又は各歯底の深さを相違させることで、各毛髪の引っ掛かり具合を分散させて、均等なボリューム感のある逆毛を形成しやすくした櫛を提供することを目的とする。
さらにまた、本発明は、段差部を形成していない櫛歯を追加的に配列することで、複数列の櫛歯により毛髪の引っ掛かり箇所を増すようにした櫛を提供することを目的とする。
そして、本発明は、歯底の形状も工夫することで、歯底により毛髪を出来るだけ傷つけないようにした上で、従来より強いテンションを得られやすくした櫛を提供することを目的とする。
【課題を解決するための手段】
【００１４】
上記課題を解決するために本発明に係る櫛は、長手方向を有する櫛本体から突設した複数本の櫛歯が配列してある櫛において、前記櫛歯は、突設方向の途中に段差部を形成しており、前記櫛歯における先端側から前記段差部へ至る第一範囲部は、前記段差部から根元側へ至る第二範囲部に比べて、前記櫛歯の突設方向に直交する方向の寸法を小さくしてあることを特徴とする。
また、本発明に係る櫛は、前記段差部が、隣接する櫛歯間で表出するように形成してあることを特徴とする。
さらに、本発明に係る櫛は、前記段差部が、前記櫛本体の幅方向に応じた方向から前記櫛歯が見られた場合に、前記櫛歯の外周に表出するように形成してあることを特徴とする。
さらにまた、本発明に係る櫛は、前記段差部が、前記櫛歯の根元側へ広がるように前記突設方向に対して斜めに形成してあることを特徴とする。【００１５】
本発明に係る櫛は、前記第一範囲部が、前記先端側から前記段差部へ広がるようにテーパー状に形成してあることを特徴とする。
また、本発明に係る櫛は、前記第二範囲部が、前記段差部から前記根元側へ広がるようにテーパー状に形成してあることを特徴とする。
さらに、本発明に係る櫛は、前記複数本の櫛歯の中で、連続して隣接する３本以上の各櫛歯の先端高さを、それぞれ相違させてあることを特徴とする。
さらにまた、本発明に係る櫛は、前記複数本の櫛歯の中で、連続して隣接する櫛歯間の３箇所以上の各歯底は、底深さをそれぞれ相違させてあることを特徴とする。【００１６】
本発明に係る櫛は、前記段差部が形成された複数本の櫛歯の配列と平行に、段差部が形成されていない複数本の櫛歯が配列してあり、前記段差部が形成されていない各櫛歯の間隔は、前記段差部が形成された各櫛歯の間隔に比べて広くしてあることを特徴とする。
また、本発明に係る櫛は、前記段差部が形成された複数本の櫛歯の配列と平行で且つ前記配列の両側に、段差部が形成されていない複数本の櫛歯がそれぞれ配列してあり、前記段差部が形成されていない各櫛歯の間隔は、前記段差部が形成された各櫛歯の間隔に比べて広くしてあり、前記段差部が形成された複数本の櫛歯の中のいずれかは両側を、前記段差部が形成されていない複数本の櫛歯の中のいずれかにより挟まれるようにしてあることを特徴とする。【００１７】
本発明に係る櫛は、前記段差部が形成されていない櫛歯が、前記段差部が形成された櫛歯に比べて長くしてあることを特徴とする。
また、本発明に係る櫛は、前記段差部が形成された櫛歯が、前記段差部が形成されていない櫛歯に比べて長くしてあることを特徴とする。
さらに、本発明に係る櫛は、前記段差部が形成された複数本の櫛歯の中の一部が、前記段差部が形成されていない櫛歯に比べて長くしてあり、前記段差部が形成された複数本の櫛歯の中の他部は、前記段差部が形成されていない櫛歯に比べて短くしてあることを特徴とする。
さらにまた、本発明に係る櫛は、前記段差部が形成された櫛歯に係る歯底が、前記櫛本体の幅方向における中央箇所で凸となるように形成してあることを特徴とする。【００１８】
本発明にあっては、櫛歯に段差部を形成すると共に、櫛歯における先端側から段差部へ至る第一範囲部を、段差部より根元側へ至る第二範囲部に比べて、櫛歯の突設方向に直交する方向の寸法が小さくなるようにしたので、櫛歯の先端から根元へ至る途中で段差部が櫛歯の外周で表出するようになる。そのため、逆毛のセットを行う際、櫛により梳かれる毛髪に対して段差部が引っ掛かり箇所となり、この段差部で所要の抵抗感を得られ、櫛全体として従来の櫛に比べて毛髪にかかるテンションを大きくでき、逆毛を立てやすくなる。【００１９】
本発明にあっては、隣接する櫛歯間で段差部が表出するので、櫛歯間の間隔の寸法が、表出する段差部の存在によって段階的に変化するので、逆毛のセットにおいて毛髪が櫛歯間に入り込む際、毛髪に対する抵抗も変化し、それにより毛髪の引っ掛かり度合いも増えて、所要のテンションを得やすくなる。
また、本発明にあっては、櫛本体の幅方向に応じた方向から櫛歯が見られた場合に、櫛歯の外周に表出するように段差部が形成してあるので、逆毛セットの際、櫛本体の幅方向へ櫛歯の外周に沿って流れた毛髪が段差部に接触するようになるので、櫛で梳く際の毛髪に対する抵抗を高めて、所要のテンションを得やすくなる。【００２０】
本発明にあっては、段差部が突設方向に対して斜めに形成してあるので、毛髪が段差部に強く引っ掛かって、毛髪を傷めてしまうこと、又は毛髪を切断してしまうような事態の発生が回避され、さらに、ある程度以上のテンションがかかれば、斜めに形成した段差部から毛髪が抜け落ちて歯底へ向かうように誘導でき、毛髪をいたわりながら逆毛を形成できるようになる。
また、本発明にあっては、櫛歯の先端側から段差部へ至る第一範囲部又は段差部から根元側へ至る第二範囲部をテーパー状に形成したので、ストレート形状の櫛歯に比べて、毛髪が触れる櫛歯自体の外周でも毛髪に対する抵抗が強くなり、逆毛セットに必要な適度のテンションを得やすくなる。【００２１】
本発明にあっては、連続して隣接する３本以上の各櫛歯の先端高さを相違させたので、逆毛のセット時に櫛を歯先から毛髪へ差し込むと、毛髪が歯先に触れる時期に違いが生じ、歯先が他と比べて凹となる箇所ほど、歯先が他と比べて凸となる箇所に対して、櫛歯が毛髪に触れるのが遅れるため、歯先が凹の箇所における毛髪部分は相対的に抵抗が少なくなる。その結果、各歯先における毛髪に対する抵抗が分散され、逆毛のセットの際、一部の毛髪が毛玉的になりにくくなり、毛髪が密集することなく均等的に散らばった逆毛を形成しやすくなる。なお、本発明で、先端高さが相違するのを、連続して隣接する３本以上の櫛歯に限定したのは、隣接する２本の櫛歯であれば、歯先による抵抗が分散される程度が十分でないためである。【００２２】
本発明にあっては、連続して隣接する櫛歯間の３箇所以上の歯底を異なる底深さにしたので、逆毛のセットの際、毛髪が歯底に触れる時期に違いが生じ、毛髪の歯底に引っ掛かる程度が、歯底ごとに異なるようになる。すなわち、他より凸状の歯底箇所に引っ掛かる毛髪部分は、飛び出ているため強く引っ掛かるようになる。その結果、毛髪の櫛の歯底に引っ掛かる程度について、部分的に強弱の差が生じ、引っ掛かる程度が強い毛髪部分を中心に逆毛のセットに好適なテンションが得られ、容易に逆毛をセットできるようになる。また、歯底は３箇所以上の異なる底深さであるので、中間的な底深さの歯底に引っ掛かる毛髪は、中間的な程度のテンションが得られ、最も凸状の歯底箇所と、最も凹状の歯底箇所における引っ掛かり程度の強弱の差を緩和して、引っ掛かり程度の強弱の差による毛髪の絡まりの発生を抑えて、逆毛のセット時にスムーズに櫛を動かしやすくなる。【００２３】
本発明にあっては、段差部が形成された複数本の櫛歯による配列と平行に、段差部が形成されていない複数本の櫛歯が並べたので、段差部を形成した櫛歯の列と、段差部が形成されていない櫛歯の列との間でも、毛髪が入り込み、毛髪に対する抵抗を増すことができると共に、それぞれの列における各櫛歯間の間隔が相違させたので、引っ掛かり度合いを分散させられるようになる。【００２４】
本発明にあっては、段差部が形成された複数本の櫛歯の列の両側に、段差部が形成されていない複数本の櫛歯が配列したので、段差部を形成した櫛歯の列と、段差部が形成されていない櫛歯の列との間にも毛髪が入り込み、毛髪に対する抵抗をさらに増すことができると共に、それぞれの列における各櫛歯間の間隔が相違させたので、引っ掛かり度合いを分散させられるようになる。【００２５】
本発明にあっては、段差部が形成されていない櫛歯を、段差部が形成されている櫛歯に比べて長く形成したので、段差部が形成されていない櫛歯の先端は、段差部が形成されている櫛歯の先端より高く位置するようになる。そのため、段差部が形成されていない櫛歯は、櫛歯間の間隔が広いことから、段差部が形成されていない櫛歯の先端部分を、髪の分け目の形成、大まかな整髪などの用途に向いた荒歯として使用できるようになり、櫛の使い勝手を広められる。【００２６】
本発明にあっては、段差部が形成された櫛歯を、段差部が形成されていない櫛歯に比べて長く形成したので、段差部が形成された櫛歯の先端は、段差部が形成されていない櫛歯の先端より高く位置するようになる。そのため、段差部が形成された櫛歯は、櫛歯間の間隔が狭いことから、段差部が形成された櫛歯の先端部分を、いわゆる密歯として、形成した逆毛の表面を撫で付けることに使うことができ、逆毛形成に用いた櫛を、そのまま逆毛表面の撫で付け作業にまで使うことができ、逆毛形成から逆毛表面整髪に至る一連の手順を一つの櫛でスムーズに進めることが可能となる。【００２７】
本発明にあっては、段差部が形成された複数本の櫛歯の中の一部を、段差部が形成されていない櫛歯に比べて長くすると共に、段差部が形成された複数本の櫛歯の中の他部を、段差部が形成されていない櫛歯に比べて短くしたので、いわゆる密歯として用いることができる範囲と、いわゆる荒歯として用いることができる範囲を具備するようになる。その結果、一本の櫛で、密歯に適した用途と、荒歯に適した用途に対応できるようになり、逆毛形成及び整髪に係る一連の手順を一段とスムーズに行える。【００２８】
本発明にあっては、段差部が形成された櫛歯に係る歯底を、櫛本体の幅方向における中央箇所で凸となるように形成したので、歯底に引っ掛かる毛髪は、凸となる中央箇所で線接触又は点接触的に歯底と接触することになり、毛髪の歯底に対する接触圧が高まり、歯底での引っ掛かり度合いを一段と高めて、逆毛を形成しやすくなると共に、歯底のエッジ等により毛髪を傷めることも低減できるようになる。
【発明の効果】
【００２９】
本発明にあっては、櫛歯の外周へ表出するように段差部を形成したので、逆毛セットの際、櫛により梳かれる毛髪を段差部で引っ掛けて、所要の抵抗感を得ることができ、櫛全体として従来の櫛に比べて毛髪にかかるテンションを大きくでき、逆毛セットを良好に行える。
本発明にあっては、段差部が突設方向に対して斜めに形成してあるので、毛髪が段差部に強く引っ掛かって毛髪が傷つくことを回避でき、また、或る程度以上のテンションがかかれば、斜めに形成した段差部から抜け落ちて、歯底へ向かうように誘導して毛髪をいたわりながら逆毛を形成できる。【００３０】
本発明にあっては、櫛歯の先端側から段差部へ至る第一範囲部又は段差部から根元側へ至る第二範囲部をテーパー状に形成したので、ストレート形状の櫛歯に比べて、毛髪が触れる櫛歯自体の外周でも毛髪に対する抵抗を強くでき、逆毛セットに必要な適度のテンションを得ることができる。
本発明にあっては、各櫛歯の先端高さを相違させたので、各歯先における毛髪に対する抵抗を分散でき、逆毛セットの際、一部の毛髪が毛玉的になるのを防止でき、毛髪が密集することなく均等的に散らばった逆毛を形成できる。
本発明にあっては、各歯底を異なる底深さにしたので、逆毛のセットの際、毛髪の歯底箇所に引っ掛かる程度が、歯底箇所ごとに異なるようにでき、逆毛セットに必要な適度のテンションを生じさせて逆毛を均等にセットできる。【００３１】
本発明にあっては、段差部が形成された複数本の櫛歯の列と平行に、段差部が形成されていない複数本の櫛歯が配列したので、毛髪に対する抵抗を増すことができる上、それぞれの列における各櫛歯間の間隔が相違させたので、引っ掛かり度合いを分散させて、逆毛セットを行いやすくできる。【００３２】
本発明にあっては、段差部が形成されていない櫛歯を、段差部が形成されている櫛歯に比べて長く形成したので、段差部が形成されていない櫛歯の先端部分を荒歯的に使用でき、櫛の使い勝手を広められる。
本発明にあっては、段差部が形成された櫛歯を、段差部が形成されていない櫛歯に比べて長く形成したので、段差部が形成された櫛歯の先端部分を密歯的に使用でき、櫛の使い勝手を広められる。
本発明にあっては、段差部が形成された複数本の櫛歯の中の一部を、段差部が形成されていない櫛歯に比べて長くすると共に、段差部が形成された複数本の櫛歯の中の他部を、段差部が形成されていない櫛歯に比べて短くしたので、一部の範囲を密歯的に用いることができると共に他部の範囲を荒歯的に用いることができ、逆毛の用途に加えて櫛を他用途に使うことができる。【００３３】
本発明にあっては、段差部が形成された櫛歯に係る歯底を、櫛本体の幅方向における中央箇所で凸となるように形成したので、歯底に引っ掛かる毛髪を、凸となる中央箇所で線接触又は点接触的に歯底と接触させて、毛髪の歯底に対する接触圧を高めることができ、それにより、歯底での引っ掛かり度合いを一層、高めて逆毛を形成しやすくできる。
【図面の簡単な説明】
【００３４】
【図１】本発明の実施形態に係る櫛の斜視図である。
【図２】実施形態に係る櫛の正面図である。
【図３】実施形態に係る櫛を櫛歯の刃先側から見た要部の平面図である。
【図４】中櫛歯部材を取り外した状態を示す櫛要部の図３に示すＡ−Ａ線における断面図である。
【図５】外櫛歯及び中櫛歯の関係を示す拡大正面図である。
【図６】中櫛歯を示す拡大正面図である。
【図７】図６のＢ−Ｂ線における中櫛歯等に係る断面図である。
【図８】各櫛歯に毛髪が入り込んだ状態を示す要部拡大平面図である。
【図９】毛髪が中櫛歯の櫛歯間に入り込む状況を示す要部拡大正面図である。
【図１０】毛髪が中櫛歯と外櫛歯の間に入り込む状況等を示す一部を断面にした要部拡大図である。
【図１１】変形例の中櫛歯を示し、（ａ）は拡大正面図、（ｂ）は櫛本体の先端側から見た拡大側面図である。
【図１２】変形例の中櫛歯を示し、（ａ）は拡大正面図、（ｂ）は櫛本体の先端側から見た拡大側面図である。
【図１３】（ａ）、（ｂ）、（ｃ）は変形例の各中櫛歯における先端高さのパターンを示す概略図である。
【図１４】（ａ）、（ｂ）、（ｃ）は変形例の中櫛歯における各櫛歯間の歯底の底深さのパターンを示す概略図である。
【図１５】（ａ）は四列の櫛歯を設けた変形例を示す要部拡大平面図、（ｂ）は五列の櫛歯を設けた変形例を示す要部拡大平面図である。
【図１６】（ａ）は二列の櫛歯を設けた変形例を示す要部拡大平面図、（ｂ）は一列の櫛歯を設けた変形例を示す要部拡大平面図である。
【図１７】櫛本体の先端側から見た変形例を示す一部を断面にした要部拡大図である。
【図１８】把持部を有しないタイプの櫛の変形例を示す正面図である。
【図１９】変形例の外櫛歯及び中櫛歯の関係を示す拡大正面図である。
【図２０】中櫛歯の長さを、範囲ごとに相違させた変形例の櫛の正面図である。
【図２１】逆毛をセットする際の櫛の動かし方を示す概略図である。
【発明を実施するための形態】
【００３５】
図１〜３は、本発明の実施形態に係る櫛１の全体的な外観を示す概略図である。本実施形態の櫛１は、棒状の把持部４を櫛本体２から突出させた形状のテールコームと称されるタイプであり、本実施形態では合成樹脂で成形している。櫛１は図１、３等に示すように、中櫛歯２０の列の両側に外櫛歯７、８をそれぞれ平行に配列した計三列の櫛歯を設けると共に、中櫛歯２０等を特徴的な形状にして、逆毛を形成しやすくしたものになっている。以下、本実施形態の櫛１について詳しく説明する。なお、図１中のＸ軸は、複数本の外櫛歯７、８及び中櫛歯２０を突設した櫛本体２の長手方向（棒状の把持部４の長手方向とも同方向）に平行な軸であり、Ｙ軸は、櫛本体２の幅方向に平行な軸（上記Ｘ軸に直交する方向の軸）であり、Ｚ軸は、中櫛歯２０の突設方向に平行な軸（上記Ｘ軸及びＹ軸の両方に直交する方向の軸）である。これらＸ軸、Ｙ軸、及びＺ軸の各方向（Ｘ軸方向、Ｙ軸方向、及びＺ軸方向）は、他の図においても同様である。
【００３６】
櫛本体２は、Ｘ軸方向に延出する棒状部分における先端部２ａ及び後端部２ｂのそれぞれより、爪状の櫛保護部５ａ、５ｂをＺ軸方向へ突設しており、これら櫛保護部５ａ、５ｂは、Ｘ軸方向に配列された複数本の外櫛歯７、８及び中櫛歯２０を挟み込むように位置して、各櫛歯７、８、２０を保護する役目を担っている。また、櫛本体２は、棒状部分に一方の側面２ｃから他方の側面２ｄへ貫通（Ｙ軸方向へ貫通）する貫通孔６を、Ｘ軸方向へ所定の間隔をあけて複数形成している。これらの貫通孔６は、Ｘ軸方向を長軸とした楕円形状であり、孔周囲箇所に、楕円状に窪ませたザグリ部を形成している。
【００３７】
さらに、櫛本体２は、後端部２ｂに三角形的な形状の連結部３を形成して、棒状の把持部４と櫛本体２とを繋ぐようにしている。連結部３は、Ｘ軸方向へ延出する溝状の凹部３ａを形成すると共に、その凹部３ａとＺ軸方向へ間隔をあけて、雨滴形状の貫通穴３ｂ、３ｃを形成している。連結部３は、これら凹部３ａ、及び貫通穴３ｂ、３ｃを形成することで、連結部３自体の剛性を低下させて、連結部３を撓みやすくしており、それにより美容師・理容師等のユーザが櫛１を使用する際に、把持部４及び櫛本体２を把持するような持ち方で力を入れると、連結部３が撓んで湾曲して、櫛全体が手になじむようにしている。
【００３８】
さらにまた、櫛本体２は、図３に示すように、両方の側面２ｃ、２ｄを凹凸形状の湾曲面にして（凹状の各箇所に貫通孔６が位置する）、ユーザが指で櫛本体２の側面２ｃ、２ｄを把持するような持ち方をする際に対して、指先の滑り止めとして凹凸形状の湾曲面が機能するようにしている。同様な理由に、櫛本体２は、背面２ｅ（各櫛歯７、８、２０が位置する側と反対側の面）も凹凸形状の湾曲面にすると共に、櫛本体２と連なる連結部３の周囲、及び把持部４の周囲も凹凸形状にしてすべり止め機能を発揮できるようにしている。
【００３９】
また、櫛本体２は、上面２ｆよりピン状の櫛歯７、８を複数突設し、図５に示すように、各櫛歯７、８の間隔を寸法Ｐ（ピッチ寸法Ｐ）に設定している。なお、ピッチ寸法Ｐの数値例としては、約３ｍｍ〜８ｍｍ程度の範囲が考えられ、逆毛を形成しやすくする点では約５ｍｍ前後に設定することが好適となる。さらに、櫛本体２は、図４に示すように、中櫛歯２０を設けた別体の中櫛歯部材１０を嵌め込む長溝状のスロット部２ｇを、櫛本体２の幅方向の中央箇所でＸ軸方向へ延出するように形成している。スロット部２ｇは、後端側に、中櫛歯部材１０を係止するための係止突起２ｈを突設している。なお、図４に示す櫛本体２は、図３に示すＡ−Ａ線における断面の形状を表している。
【００４０】
図４に示すように、中櫛歯部材１０は全体が板状の部材になっており、長板状のベース部１１より複数本の中櫛歯２０を突設したものになっている。ベース部１１は、一端部１１ｃから他端部１１ｄにかけて、複数の楕円穴１２（楕円穴１２はベース部１１を貫通）を所定の間隔をあけて形成しており、これらの楕円穴１２は、中櫛歯部材１０が櫛本体２のスロット部２ｇに取り付けられた際、櫛本体２の貫通孔６と位置が一致して、両者はそれぞれ連通するようになっている。貫通孔６は、楕円穴１２と連通することで通気性が確保されることになり、美容師・理容師等のユーザが、櫛本体２の側面２ｃ（又は他方の側面２ｄ）に指をあてがうような持ち方をすれば、側面２ｃ（又は他方の側面２ｄ）の凹凸形状の湾曲面により、指先が凹箇所の貫通孔６へ案内され、側面２ｃ（又は他方の側面２ｄ）にあてがった状態の指先を、貫通孔６を通じて外気に触れさせることができ、水分・薬液等で指先が濡れていても指先を乾きやすくすることができ、濡れた指先で櫛が滑りやすくなる状況を改善できる。
【００４１】
また、中櫛歯部材１０のベース部１１は、複数の長溝部１３を、各楕円穴１２の上方に計三カ所形成して、中櫛歯部材１０が櫛本体２のスロット部２ｇに入り込みやすくしている。さらに、中櫛歯部材１０は、他端部１１ｄに係止凹部１１ｅを形成しており、この係止凹部１１ｅへは、中櫛歯部材１０を櫛本体２のスロット部２ｇに嵌め込んだ際、スロット部２ｇの係止突起２ｈが係合し、中櫛歯部材１０の抜け止めとして機能する。なお、中櫛歯部材１０のベース部１１における背面１１ａと反対側の中櫛歯２０を突設する上部１１ｂの面は、後述するように、中櫛歯２０における櫛歯間の歯底の底深さを相違させたことで、ジグザグ形状になっている。
【００４２】
図６は、中櫛歯部材１０が有する複数本の中櫛歯２０の詳細を示している。本実施形態の中櫛歯２０は、先端高さの異なる計３パターンの第１中櫛歯３０、第２中櫛歯４０、及び第３中櫛歯５０を含んでいる。連続して順次隣接する第１中櫛歯３０、第２中櫛歯４０、及び第３中櫛歯５０は一つのグループ単位として櫛歯群を構成し、中櫛歯２０は、このような櫛歯群を、Ｘ軸方向に沿って複数並べた集合体となっている。なお、図６は、Ｙ軸方向に沿った方向（櫛本体２の側面２ｃが正面図となる方向）から見た中櫛歯２０を示している。
【００４３】
第１中櫛歯３０、第２中櫛歯４０、及び第３中櫛歯５０において、最も先端位置が高いのは第３中櫛歯５０であり、二番目に先端位置が高いのが第２中櫛歯４０であり（第２中櫛歯４０は、その先端４０ａが、第３中櫛歯５０の先端５０ａより高さ寸法ｈ２だけ低い）、最も先端位置が低いのが第１中櫛歯３０になっている（第１中櫛歯３０は、その先端３０ａが第２中櫛歯４０の先端４０ａより高さ寸法ｈ１だけ低い）。高さ寸法ｈ１、ｈ２の数値例としては、約１ｍｍ〜３ｍｍの範囲が考えられ、約１ｍｍ程度が均等感のある逆毛を形成しやすく好適である。
【００４４】
なお、図５に示すように、中櫛歯部材１０が櫛本体２に嵌め込まれた状態では、最も先端位置が高い第３中櫛歯５０であっても、外櫛歯７（外櫛歯８）より高さ寸法Ｈ（外櫛歯７の先端７ａから第３中櫛歯５０の先端５０ａまでの寸法）だけ低くなっており、そのため、外櫛歯７（外櫛歯８）は中櫛歯２０より長く、その先端側から高さ寸法Ｈの範囲には、中櫛歯２０（第１中櫛歯３０、第２中櫛歯４０、及び第３中櫛歯５０）が存在しないので、櫛１は、外櫛歯７（外櫛歯８）を、その先端側から高さ寸法Ｈの範囲においてピッチ寸法Ｐの荒歯として用いることが可能となっており、髪の分け目の形成、大まかな整髪等に使うことができる。なお、高さ寸法Ｈの数値例としては約３ｍｍ〜１０ｍｍの範囲が考えられ、５ｍｍ前後が使いやすく好適である。
【００４５】
また、図６に示すように、第１中櫛歯３０は、その長手方向となる突設方向（Ｚ軸方向）の途中に段差部３２を形成している。段差部３２は、根元側（突設元となるベース部１１側）へ厚み寸法（Ｘ軸方向に沿った寸法）が広がるように、その外周辺が斜めに形成されており、その結果、段差部３２は全体として、台形状になっている。このようなＹ軸方向に沿った方向（櫛本体２の側面２ｃが正面図となる方向）から見た段差部３２の斜めの外周辺は、隣接する第２中櫛歯４０との間（櫛歯間）で表出するようになっている。
【００４６】
さらに、第１中櫛歯３０は、先端３０ａから段差部３２の上端３２ａに至る範囲を第一範囲部３１にすると共に、段差部３２の下端３２ｂから根元３０ｂ（ベース部１１の上部１１ｂの突設基部）に至る範囲を第二範囲部３３としている。第一範囲部３１は、先端３０ａから段差部３２へＸ軸方向に沿った厚み寸法（第１中櫛歯３０の突設方向に直交する方向の寸法）が広がるようにテーパー形状になっており、詳しくは、先端３０ａ側の厚み寸法をｗ１、段差部３２の上端３２ａ側の厚み寸法をｗ２とした場合、ｗ１＜ｗ２の関係が成立するにしている。同様に、第二範囲部３３は、段差部３２の下端３２ｂから根元３０ｂへＸ軸方向に沿った厚み寸法が広がるようにテーパー形状になっており、詳しくは、段差部３２の下端３２ｂの厚み寸法をｗ３、根元３０ｂ側の厚み寸法をｗ４とした場合、ｗ３＜ｗ４の関係が成立するようにしている（ｗ４の数値例は約０．８ｍｍ〜２．０ｍｍの範囲が考えられる）。なお、段差部３２は、上述したように全体が台形状であることから、第一範囲部３１に係る下側の厚み寸法ｗ２は、第二範囲部３３に係る上側の厚み寸法ｗ３に比べて小さくなっている（ｗ２＜ｗ３）。
【００４７】
第２中櫛歯４０及び第３中櫛歯５０は段差部等について、上述した第１中櫛歯３０と基本的に同等の構成になっており、突設方向（Ｚ軸方向）の途中に台形状の段差部４２、５２を形成し、先端４０ａ、５０ａから段差部４２、５２の上端４２ａ、５２ａに至る範囲をテーパー形状の第一範囲部４１、５１にすると共に、段差部４２、５２の下端４２ｂ、５２ｂから根元４０ｂ、５０ｂに至る範囲をテーパー形状の第二範囲部４３、５３としている。なお、各中櫛歯３０、４０、５０は上述したように各先端３０ａ、４０ａ、５０ａの高さをそれぞれ相異させているが、各中櫛歯３０、４０、５０における段差部３２、４２、５２の高さは揃えている。
【００４８】
隣接する各中櫛歯３０、４０、５０の間隔（ピッチ寸法）は、本実施形態では同寸法にしており、具体的には第１中櫛歯３０と第２中櫛歯４０のピッチ寸法をｐ１、第２中櫛歯４０と第３中櫛歯５０のピッチ寸法をｐ２、第３中櫛歯５０と次の櫛歯群を構成する第１中櫛歯３０のピッチ寸法をｐ３とした場合、ｐ１＝ｐ２＝ｐ３の関係になっている。各中櫛歯３０、４０、５０の間隔がｐ１＝ｐ２＝ｐ３であっても、各中櫛歯３０、４０、５０が上述した形状であるため、各櫛歯間の隙間寸法は、各中櫛歯３０、４０、５０の突設方向（Ｚ軸方向）における各所で変化するようになっている。なお、具体的なｐ１、ｐ２、ｐ３の数値例としては、約０．７ｍｍ〜２ｍｍの範囲が考えられ、約１ｍｍ前後が逆毛を形成しやすく好適である。
【００４９】
図６に示すように、例えば、第３中櫛歯５０と次の櫛歯群を構成する第１中櫛歯３０の間の隙間は、第１中櫛歯３０における先端でｗ５という隙間寸法であるが、第一範囲部３１、５１がテーパー形状であることから、段差部５２の上端５２ａにおける隙間寸法ｗ６は、隙間寸法ｗ５より狭まっている（ｗ６＜ｗ５）。また、段差部５２の下端５２ｂにおける隙間寸法は、段差部３２、５２がそれぞれ台形状であることから、隙間寸法ｗ７＜隙間寸法ｗ６の関係が成立するように狭まっており、さらに、根元５０ｂにおける隙間寸法は、第二範囲部３３、５３がテーパー形状であることから、隙間寸法ｗ８＜隙間寸法ｗ７の関係が成立するように、更に狭まっている。なお、隙間寸法ｗ６の数値例としては、約０．８ｍｍ〜１．２ｍｍの範囲が考えられ、隙間寸法ｗ７の数値例としては、約０．３ｍｍ〜０．７ｍｍの範囲が考えられる。以上のように、第３中櫛歯５０と次の櫛歯群を構成する第１中櫛歯３０の間の隙間は、歯底へ行くほど隙間寸法は狭まっており、しかも、途中に台形状の段差部３２、５２が存在することで、一律に隙間寸法が狭くなるのではなく、段差部３２、５２に応じた箇所で一旦、急に隙間寸法が狭くなるので、第３中櫛歯５０と第１中櫛歯３０との間に、毛髪が入り込んだ際に抵抗となって所要のテンションが得られる。このような櫛歯間の隙間寸法の変化の具合は、第１中櫛歯３０と第２中櫛歯４０の間の隙間、及び第２中櫛歯４０と第３中櫛歯５０の間の隙間でもそれぞれ同等になっている。
【００５０】
また、連続して隣接する各中櫛歯３０、４０、５０における各櫛歯間の隙間の歯底の底深さも、上述した先端高さと同様に、それぞれ相違させてある。例えば、第３中櫛歯５０と次の櫛歯群を構成する第１中櫛歯３０の間の隙間における第１歯底２５が最も深い位置に形成されたものとなっており、二番目に深い位置に形成されるのは第１中櫛歯３０と第２中櫛歯４０の間の隙間における第２歯底２６であり、最も深い第１歯底２５に対して高さ寸法ｈ３だけ高く位置し、最も浅い位置に形成されるのは第２中櫛歯４０と第３中櫛歯５０の間の隙間における第３歯底２７であり、二番目に深い第２歯底２６に対して高さ寸法ｈ４だけ高く位置している。なお、高さ寸法ｈ３、ｈ４の数値例は上述した高さ寸法ｈ１、ｈ２と同程度である。
【００５１】
図７は、図６におけるＢ−Ｂ線の断面を示しており、櫛本体２の先端側から第１中櫛歯３０が見られた状態を表す（Ｘ軸方向に沿った方向から見られた図）。この方向から見られた場合でも、第１中櫛歯３０は、突設方向（Ｚ軸方向）の途中の外周に段差部３２を表出するようにしており、図７に示す方向で見られた場合も、図６に示す場合と同様に、根元側へ幅寸法（Ｙ軸方向に沿った寸法）が広がるように、その外周辺が斜めに形成されている（図７に示す方向から見られた場合の段差部３２も台形状に形成されている）。
【００５２】
また、第１中櫛歯３０は、先端３０ａから段差部３２の上端３２ａに至る第一範囲部３１について、図７に示す方向で見られた場合もテーパー形状となるように形成すると共に、段差部３２の下端３２ｂから根元３０ｂの側へ至る第二範囲部３３についても、図７に示す方向で見られた場合についてテーパー形状となるように形成している。このような形状により、図７に示す方向で見られた場合における第１中櫛歯３０の先端３０ａ側の幅寸法をｗ１０、段差部３２の上端３２ａ側の幅寸法をｗ１１とした場合、ｗ１１＞ｗ１０の関係が成立しており、第２範囲部３３は、段差部３２の下端３２ｂの幅寸法をｗ１２（ｗ１２＞ｗ１１）、根元側の幅寸法をｗ１３とした場合、ｗ１３＞ｗ１２の関係が成立する（ｗ１３の数値例としては約１．５ｍｍ〜２．５ｍｍの範囲が考えられる）。第１中櫛歯３０の上述した図７に示す方向で見られた場合の形状は、第２中櫛歯４０及び第３中櫛歯５０においても、それぞれ同等である。なお、図７では、段差部が形成されていない外櫛歯７、８を二点鎖線で示しているが、外櫛歯７、８は、上述した中櫛歯２０（第１中櫛歯３０、第２中櫛歯４０、及び第３中櫛歯５０）と所定の隙間をあけた箇所に位置する。
【００５３】
さらに、図７に示すように、第３中櫛歯５０と第１中櫛歯３０の間の隙間における第１歯底２５は、全体が山形状になっており、詳しくは櫛本体２の幅方向（Ｙ軸方向）における中央箇所２５ａで最も突出するように湾曲した凸形状で形成されると共に、両側箇所２５ｂ、２５ｃは湾曲した凹形状で窪むように形成されている。第１歯底２５の上述した形状は、他の第２歯底２６及び第３歯底２７でも同様である。このように各歯底２５〜２７は、各所を湾曲した外周形状にすることで、中櫛歯部材１０のベース部１１における上部１１ｂの角に、第１歯底２５に引っ掛かる毛髪が触れにくいようにして、逆毛セットの際、必要以上に毛髪を傷めないようにしている。
【００５４】
図１〜３、５は、上述した中櫛歯２０を設けた中櫛歯部材１０のベース部１１を、櫛本体２のスロット部２ｇに嵌め込んだ状態を示している。このように嵌め込むことで、中櫛歯部材１０のベース部１１は櫛本体２と一体的となり、そのため、中櫛歯部材１０の中櫛歯２０も櫛本体２から突設した状態となり、中櫛歯２０の配列と外櫛歯７、８の配列はＸ軸方向に沿って平行となる（図３参照）。なお、中櫛歯部材１０が櫛本体２に嵌め込まれて一体的となった状態では、図５等に示すように、中櫛歯２０において最も深い位置に形成される第１歯底２５が、櫛本体２の上面２ｆよりＺ軸方向において高くなるように配置され、それにより逆毛セットの際、最も深い位置の第１歯底２５でも確実に毛髪と触れてテンションがかけられるようにしている。
【００５５】
また、段差部が形成されていない外櫛歯７、８おける各櫛歯間の間隔（図５に示すピッチ寸法Ｐ）と、図６に示す中櫛歯２０における各櫛歯間の間隔（ピッチ寸法ｐ１、ｐ２、ｐ３）が異なり、外櫛歯７、８に係るピッチ寸法Ｐは、中櫛歯２０に係るピッチ寸法ｐ１、ｐ２、ｐ３より広く（Ｐ＞ｐ１、ｐ２、ｐ３）、また、両者のピッチ寸法の相違する度合いにより、中櫛歯部材１０を櫛本体２に嵌め込むと、複数の中櫛歯２０の中のいずれかにおいては、両側が外櫛歯７、８のいずれかにより挟まれた状態になっている。例えば、図５においては、櫛１の先端側となる櫛保護部５ａから（図５中の左から）数えて二番目の第１中櫛歯３０、及び三番目の第２中櫛歯４０が、外櫛歯７（８）により挟まれた状態になっている。
【００５６】
次に、上述した構成の櫛１を用いて、図１９に示すように逆毛をセットする際の状況を説明していく。まず、頭髪から取り出して立ち上げた一定量の毛髪束に櫛１を差し込むと、外櫛歯７、８及び中櫛歯２０における各櫛歯間に毛髪が入り込む。
【００５７】
図９は、中櫛歯２０（第１中櫛歯３０、第２中櫛歯４０、及び第３中櫛歯５０）における各櫛歯間に毛髪Ｈｒが入り込んでいく状況を示している。なお、図９に示す毛髪Ｈｒは、切断面的な形状を円で表している。
【００５８】
櫛１が毛髪束に差し込まれる際には、第１中櫛歯３０、第２中櫛歯４０、及び第３中櫛歯５０の各先端３０ａ、４０ａ、５０ａに毛髪Ｈｒは触れることになるが、上述したように各先端３０ａ、４０ａ、５０ａの高さが異なるので、最も高い位置の第３中櫛歯５０の先端５０ａが毛髪Ｈｒへ最初に触れやすい状況となり、各中櫛歯３０、４０、５０ごとに先端３０ａ、４０ａ、５０ａへ触れる状況（時期）が異なり、各中櫛歯３０、４０、５０への接触状況が分散され、それにより、形成される逆毛が均等的になり、逆毛の中に毛玉的な部分が発生しにくくなる。
【００５９】
次に、毛髪Ｈｒが各中櫛歯２０、３０、５０の間に入り込む状況を見ると、先端間での間隔は、歯底間での間隔に比べて、上述したように第１範囲部３１、４１、５１がテーパー形状になっていることから、かなり広くなっており、それゆえスムーズに各毛髪Ｈｒは櫛歯間に入り込みやすくなっている。
【００６０】
櫛歯間に入り込んだ毛髪Ｈｒの中で、各中櫛歯２０、３０、５０に沿って入り込むものは、テーパー形状の第一範囲部３１、４１、５１に沿って移動することになるので、一定の抵抗感が得られる。また、第一範囲部３１、４１、５１に沿って移動してきた毛髪Ｈｒは次に、段差部３２、４２、５２へと移動することになるが、段差部３２、４２、５２と第一範囲部３１、４１、５１では角度が異なるため、段差部３２、４２、５２の範囲へ入る際に大きな抵抗感を得られ、逆毛のセットに必要なテンションを得られる。さらに、段差部３２、４２、５２は上述したように台形状であることから、段差部３２、４２、５２に沿って移動する毛髪Ｈｒに対しても、上述したテーパー形状の第一範囲部３１、４１、５１における抵抗感より強い抵抗感が得られる。
【００６１】
さらにまた、段差部３２、４２、５２に沿って移動してきた毛髪Ｈｒは次に、第二範囲部３３、４３、５３の方へ向かうことになるが、第二範囲部３３、４３、５３における櫛歯間の間隔は、上述した先端３０ａ、４０ａ、５０ａにおける間隔より狭くなっているので、間隔が狭くなることでの圧迫による抵抗感が得られる。第二範囲部３３、４３、５３もテーパー形状であることから、第二範囲部３３、４３、５３に沿って歯底方向へ移動する毛髪Ｈｒに対して一定の抵抗感が得られると共に、第二範囲部３３、４３、５３における櫛歯間の間隔寸法は歯底方向へいくにつれて狭くなることから、狭くなる寸法により毛髪Ｈｒの密集度が高まることに基づく抵抗感も得られる。さらに、各歯底２５、２６、２７へと移動してきた毛髪Ｈｒが増えてくると、各歯底箇所にも毛髪Ｈｒが堆積して密集度が高まることにより、抵抗感も得られるようになる。ただし、第二範囲部３３、４３、５３における櫛歯間に毛髪Ｈｒが堆積される度合いは、上述したように各歯底２５、２６、２７の深さが異なることから、それぞれ相違した状況となり、それに伴い、第二範囲部３３、４３、５３における櫛歯間での抵抗感は、それぞれバラつきが生じ、それにより、形成される逆毛が均等的になり、逆毛の中に毛玉的な部分が発生しにくくなる。
【００６２】
また、図１０は、第１歯底２５における毛髪Ｈｒ４の接触状況を示し、上述したように第１歯底２５は、中央箇所２５ａで最も凸となるように突出すると共に、両側箇所２５ｂ、２５ｃは窪んだ形状であることから、第１歯底２５まで入り込んだ毛髪Ｈｒ４は、突出する中央箇所２５ａで第１歯底２５と主に接触するようになる。そのため、毛髪Ｈｒ４は面接触ではなく、線接触又は点接触的な状況で第１歯底２５と接触し、面接触に比べて接触面積が小さくなるので接触圧を高めることができ、第１歯底２５に接触する毛髪Ｈｒ４に対して強いテンションをかけることができる。また、中央箇所２５ａは、湾曲した形状で突出するため、テンションがかかった毛髪を傷めることはなく、さらに、両側箇所２５ｂ、２５ｃを窪ませて、ベース部１１の上部両角で毛髪Ｈｒ４を傷めることがないようにしている。このような第１歯底２５における毛髪に対する状況は、他の第２歯底２６及び第３歯底２７でも同様となる。
【００６３】
なお、図１０に示すように、第１中櫛歯３０は、Ｘ軸方向に沿った方向から見た場合でも、図９に示すＹ軸方向に沿った方向から見た場合と同様に、その外周形状が、第一範囲部３１及び第二範囲部３３がテーパー形状になっていると共に、段差部３２が台形状になっていることから、第１中櫛歯３０に触れて歯底方向へ移動する毛髪に対し、所定の抵抗感を得ることができる。また、Ｘ軸方向に沿った方向から見た場合は、第１中櫛歯３０の両側に外櫛歯７、８が位置することから、第１中櫛歯３０と外櫛歯７との間の隙間、又は第１中櫛歯３０と外櫛歯８との間の隙間に入り込んでも、第１中櫛歯３０が上述した形状であることから、歯底へいくに従い隙間の幅寸法が狭くなるので、第１中櫛歯３０と外櫛歯７、８との間の隙間でも所定の抵抗感を得られる。このような第１中櫛歯３０と外櫛歯７、８との間の隙間における状況は、第２中櫛歯４０と外櫛歯７、８との間の隙間、又は第３中櫛歯５０と外櫛歯７、８との間の隙間における状況でも同様となる。
【００６４】
さらに、図８は、中櫛歯２０と外櫛歯７、８とを横断するように毛髪Ｈｒ１〜３が入り込む状況を示している。図８における毛髪Ｈｒ１は、Ｙ軸方向に沿って外櫛歯７、８の図８中における右側へ入り込んだ状況を示し、この場合は、外櫛歯７、８に対して、Ｘ軸方向で右隣に位置する中櫛歯２０との間で直線的に毛髪Ｈｒ１は挟まれた状態となり、また、毛髪Ｈｒ２は、Ｙ軸方向に沿った方向で中櫛歯２０の両側に外櫛歯７、８が位置する場所に入り込んだため、中櫛歯２０により毛髪Ｈｒ２は屈曲させられて挟まれた状態となり、それにより強い抵抗感を得られる。そしてまた、外櫛歯７、８の間に中櫛歯２０が存在しない状況でも、Ｘ軸方向で中櫛歯２０が外櫛歯７、８に隣接する箇所に位置することで、毛髪Ｈｒ３が屈折する状況も生じるので、この場合も所定の抵抗感を得られる。
【００６５】
以上に説明したように、本実施形態に係る櫛１は、各所で所定の抵抗感が生じる形状等の工夫を施しているので、逆毛セットの際、櫛１全体として適度なテンションを得ることができ、逆毛を形成しやすくなる。さらに、本実施形態の櫛１は、中櫛歯２０の先端高さ及び歯底の深さを３パターンで相違させることで、抵抗感にバラつきが生じるようにしているので、抵抗感が集中して逆毛の中に毛玉のように毛髪が丸まった箇所が生じるのを防いだ上で、均等的な逆毛を形成することができる。また、適度なテンションを確保しても、毛髪がエッジのような鋭い箇所で傷づけられること、段差部３２、４２、５２は外周が開放された形状であることから、段差部３２、４２、５２で毛髪が引っ掛かり傷ついたり千切れてしまうような事態も生じない。なお、本発明に係る櫛は、上述した実施形態に限定されるものではなく、種々の変形例が考えられる。
【００６６】
例えば、図６に関して、上記では中櫛歯２０における隣接する各中櫛歯３０、４０、５０のピッチ寸法ｐ１、ｐ２、ｐ３は全て同じと説明したが、それぞれの寸法を相違させることも可能である。例えば、各ピッチ寸法の関係をｐ１＜ｐ２＜ｐ３として、第１中櫛歯３０と第２中櫛歯４０のピッチ寸法ｐ１を最も狭くし、第２中櫛歯４０と第３中櫛歯５０のピッチ寸法をｐ２を二番目に狭くし、第３中櫛歯５０と次の櫛歯群を構成する第１中櫛歯３０のピッチ寸法ｐ３を最も広く設定してもよい。このように各ピッチ寸法を相違させることで、逆毛形成の際、最も狭いピッチ寸法ｐ１の櫛歯間における抵抗感が最も大きくなり、次にピッチ寸法ｐ２の櫛歯間の抵抗感が大きくなり、ピッチ寸法ｐ３の櫛歯間の抵抗感は他より小さくなり、中櫛歯２０全体としては櫛歯間のピッチ寸法の相違により抵抗感が適度に分散され、均等感のある逆毛を形成することに役立つ。なお、ピッチ寸法の相違のさせ方としては、ｐ１＜ｐ２＜ｐ３以外に、ｐ１＞ｐ２＞ｐ３とすることも可能であり、この場合は上述した場合と逆順に各櫛歯間の抵抗感が相違することになる。
【００６７】
また、中櫛歯２０の形状については、図６に示すＹ軸方向に沿った方向で中櫛歯２０（第１中櫛歯３０）を見た場合の段差部３２と、図７に示すＸ軸方向に沿った方向で中櫛歯２０（第１中櫛歯３０）を見た場合の段差部３２は、Ｚ軸方向に沿った方向（中櫛歯２０の突設方向）において同位置で形成するようにして、各方向での段差部３２が連続して一体的なものであると説明したが、図６に示す方向での段差部３２（第１段差部）と、図７に示す方向での段差部３２（第２段差部）とは、Ｚ軸方向に沿った方向で異なる箇所に設けて、それぞれが別個に独立したものとして、それぞれ中櫛歯（第１中櫛歯３０）の外周に表出するようにしてもよい。このようにすることで、図６に示すＹ軸方向に沿った方向と、図７に示すＸ軸方向に沿った方向で、各方向における段差部（第１段差部と第２段差部）による抵抗がＺ軸方向で異なった箇所で生じるにようになり、多段階で毛髪束に対する抵抗を得られる。さらに、各段差部３２は、図６に示すＹ軸方向に沿った方向で中櫛歯２０（第１中櫛歯３０）を見た場合、又は図７に示すＸ軸方向に沿った方向で中櫛歯２０（第１中櫛歯３０）を見た場合のいずれか一方の場合でのみ櫛歯外周に表出するように形成し、櫛歯形状の簡易化を図っても良い。
【００６８】
図１１（ａ）は、変形例の中櫛歯（第１中櫛歯１３０、第２中櫛歯１４０、第３中櫛歯１５０）を示し、これらの中櫛歯１３０、１４０、１５０は、図６に示す中櫛歯２０に比べて、先端１３０ａ、１４０ａ、１５０ａ側の第一範囲部１３１、１４１、１５１、及び根元１３０ｂ、１４０ｂ、１５０ｂ側の第二範囲部１３３、１４３、１５３をテーパー形状にしておらず、それぞれ厚み寸法（Ｘ軸方向に平行な方向）を一定にすると共に、段差部１３２、１４２、１５２の外周辺に係る斜めの角度を一層傾けた（Ｚ軸に対する角度が大きくなるように傾けた）ことが特徴になっている。
【００６９】
第一範囲部１３１、１４１、１５１の厚み寸法を一定にすることで、段差部１３２、１４２、１５２の突出の度合いが増し、毛髪束に櫛を差し込む際、第一範囲部１３１、１４１、１５１に沿って移動する毛髪に対する段差部１３２、１４２、１５２による抵抗度合いを高められるメリットがある。また、第二範囲部１３３、１４３、１５３の厚み寸法を一定にすることで、各櫛歯間に入り込んだ毛髪をスムーズに、各中櫛歯１３０、１４０、１５０の根元１３０ｂ、１４０ｂ、１５０ｂ側の歯底１２５、１２６、１２７へ導くことができ、各歯底１２５、１２６、１２７により生じるテンションを得られやすくしている。
【００７０】
なお、図１１（ａ）に示す各範囲部の厚み寸法を一定にすることは、第一範囲部１３１、１４１、１５１又は第二範囲部１３３、１４３、１５３いずれか一方のみに適用することも可能であり、例えば、先端１３０ａ、１４０ａ、１５０ａ側の第一範囲部１３１、１４１、１５１は図１１（ａ）に示すように、厚み寸法を一定にする一方、第二範囲部１３３、１４３、１５３は図６に示すようにテーパー形状にしてもよく、あるいは、それとは逆に、第一範囲部１３１、１４１、１５１は図６に示すようにテーパー形状にして、第２範囲部１３３、１４３、１５３は図１１（ａ）に示すように厚み寸法を一定にしてもよい。
【００７１】
図１１（ｂ）は上述した図１１（ａ）に関連した変形例の中櫛歯（第１中櫛歯１３０）を示し、Ｘ軸方向に沿った方向で見られた場合も、図１１（ａ）のＹ軸方向に沿った方向で見られた場合と同様に、先端１３０ａ側の第一範囲部１３１及び根元１３０ｂ側の第二範囲部１３３をテーパー形状にしておらず、厚み寸法を一定にした形状を表している。このように図１１（ｂ）に示す方向でも厚み寸法を一定にすることで、図１１（ａ）で説明した内容と同様のメリットが得られる。また、図１１（ｂ）では、第一範囲部１３１及び第二範囲部１３３の両方について厚み寸法が一定の場合を示したが、上述した図１１（ａ）の場合と同様に、第一範囲部１３１又は第二範囲部１３３のいずれか一方をテーパー形状にすることも可能である。なお、図１１（ａ）（ｂ）に関する上述した内容は、他の中櫛歯である第２中櫛歯１４０及び第３中櫛歯１５０にも勿論、適用可能である。
【００７２】
図１２（ａ）は、Ｙ軸方向に沿った方向で見られた場合のさらに別の変形例の中櫛歯（第１中櫛歯２３０）を示し、複数の段差部２３２、２３５を設けた場合の形状を表している。すなわち、第１中櫛歯２３０は、先端２３０ａ側から根元２３０ｂ側へ順に第一範囲部２３１、第１段差部２３２、第二範囲部２３６、第２段差部２３５、及び第三範囲部２３３を設けたものになっている。この変形例では二つの段差部（第１段差部２３２及び第２段差部２３５）を設けたので、図６、１１に示した場合に比べて、段差部で得られる抵抗を二倍にできるメリットがある。図１２（ａ）では二つの段差部２３２、２３５を設ける例を示したが、三つ以上の段差部を設けることも可能である。また、図１２（ａ）では、各範囲部２３１、２３３、２３６の全てについて厚み寸法が一定の場合を示したが、上述した図１１（ａ）の場合と同様に、各範囲部２３１、２３３、２３６のいずれか一つ又はいずれか二つをテーパー形状にすることも可能である。なお、図１２（ａ）に関する上述した内容は、他の中櫛歯である第２、第３中櫛歯にも適用可能である。
【００７３】
図１２（ｂ）は上述した図１２（ａ）に関連した変形例の中櫛歯（第１中櫛歯２３０）を示し、Ｘ軸方向に沿った方向で見られた場合も、図１２（ａ）のＹ軸方向に沿った方向で見られた場合と同様に、二つの段差部（第１段差部２３２及び第２段差部２３５）を設けた形状を示し、この場合も段差部で得られる抵抗を二倍にできるメリットがある。なお、図１２（ｂ）に示す場合も、上述した図１２（ａ）で説明した事項を同様に適用することが可能である。
【００７４】
図１３（ａ）〜（ｃ）は中櫛歯の先端高さの各種変形例を示している。図１３（ａ）は、櫛歯群に含まれる先端高さの異なる中櫛歯の数を、図６等に示す三本にするのではなく、四本にした例を表している。すなわち、図１３（ａ）の例は、最も低い位置の先端２０Ａを有する中櫛歯、三番目に高い位置の先端２０Ｂを有する中櫛歯、二番目に高い位置の先端２０Ｃを有する中櫛歯、及び最も高い位置の先端２０Ｄを有する中櫛歯の計四本を一つの櫛歯群に含ませて、このような櫛歯群をＸ軸方向の矢印が示す方向へ複数順次並べて配列している。このように先端高さの異なる計四本の中櫛歯で櫛歯群を構成することにより、先端高さが異なることで生じる抵抗感の差を更に分散させることができ、均等間のある逆毛を一層形成しやすくなる。また、図１３（ａ）では、計四本の中櫛歯で一つの櫛歯群を形成する例を説明したが、計五本以上の中櫛歯で一つの櫛歯群を形成することも勿論可能であり、このように櫛歯群を構成する先端高さの異なる中櫛歯の本数を増加させれば、抵抗感の差を一段と分散させられる。なお、図１３（ａ）に示す場合においても、上述した図１１、１２等で説明した変形例の適用が可能である。
【００７５】
図１３（ｂ）は、図６等に示す場合に比べて、先端高さの異なる各中櫛歯の配列順を逆にした変形例を示している。すなわち、図１３（ｂ）の例は、図中左から最も高い位置の先端２０Ｃを有する中櫛歯、二番目に高い位置の先端２０Ｂを有する中櫛歯、最も低い位置の先端２０Ａを有する中櫛歯を一つの櫛歯群に含ませて、このような櫛歯群をＸ軸方向の矢印が示す方向へ複数順次並べて配列している。このような配列では、Ｘ軸方向において棒状の把持部が設けられる側と逆の側となる櫛先端側の抵抗を全般に強くすることができ好適となる。すなわち、櫛先端側（櫛本体の先端側と同意）は、把持部から離れた側となるので一般にユーザの把持力が伝わりにくくなるが、図１３（ｂ）に示すような配列順にすることで、櫛先端側の抵抗を大きくすれば、実際の使用場面では櫛全体の抵抗感を櫛先端側でも良好に感じられ、逆毛セットの際、櫛全体に均等的なテンションが感じられ、逆毛のセット時に良好なフィーリングが得られる。なお、図１３（ｂ）に示す場合でも、上述した図１３（ａ）で説明したように先端高さの異なる四本以上の中櫛歯で櫛歯群を構成する例を適用可能であり、さらには、上述した図１１、１２等で説明した変形例の適用も可能である。
【００７６】
図１３（ｃ）は、図６等に示す場合に比べて、先端高さの異なる各中櫛歯の配列順をランダムにした変形例を示している。すなわち、図１３（ｃ）の例は、最も低い位置の先端２０Ａを有する中櫛歯、二番目に高い位置の先端２０Ｂを有する中櫛歯、及び最も高い位置の先端２０Ｃを有する中櫛歯を有するが、これらの各中櫛歯が並ぶ順をランダム（不規則）にしたことが特徴になっている。このように先端高さの配列順をランダムにすることで、毛髪が各中櫛歯の先端２０Ａ、２０Ｂ、２０Ｃに触れることで生じる抵抗もランダムとなり、それにより櫛全体で得られる抵抗感を、より均等にできるメリットがある。なお、図１３（ｃ）に示す場合でも、上述した図１３（ａ）で説明したように先端高さの異なる四本以上の中櫛歯を用いる例を適用可能であり、さらには、上述した図１１、１２等で説明した変形例の適用も可能である。なお、中櫛歯の構造（仕様）を簡易にする場合には、中櫛歯の先端高さを同一にしてもよく、この場合は、外櫛歯を荒歯的に使いやすくするには、最も低い位置に先端２０Ａ又は二番目に高い位置の先端２０Ｂに先端高さを揃えることが好ましい。
【００７７】
図１４（ａ）〜（ｃ）は、上述した図１３（ａ）〜（ｃ）で示した中櫛歯の先端高さの各種変形例と同等の考え方に基づき、複数の中櫛歯による櫛歯間の歯底深さ各種変形例を示している。図１４（ａ）は、図１３（ａ）に対応し、歯底深さを相違させた各中櫛歯間の歯底の数を四箇所にした例を示している。すなわち、図１４（ａ）の例は、最も深い位置の歯底２９Ａ、二番目に深い歯底２９Ｂ、三番目に深い歯底２９Ｃ、及び最も浅い歯底２９Ｄが形成されるようにして、このような各歯底の並びがＸ軸方向の矢印が示す方向へ順次続くように配列している。このように四箇所で異なる歯底深さを順次繰り返す構成にすることで、各歯底２９Ａ〜２９Ｄで生じるテンションを更に分散させることができ、均等間のある逆毛を形成しやすくなる。また、図１４（ａ）でも、図１３（ａ）の場合と同様に、計五箇所以上で歯底深さが相違する歯底を形成することも勿論可能であり、さらに上述した各歯底を形成する各櫛歯に対しては図１１、１２等で説明した変形例の適用も可能である。
【００７８】
図１４（ｂ）は、図１３（ｂ）と同等の考え方のコンセプトに基づき、歯底深さを相違させた各歯底の順序を図６に示す場合と逆に配列させた例を示している。それにより図１４（ｂ）においても、櫛先端側（櫛本体の先端側）の抵抗を大きくでき、実際の使用場面では櫛全体の抵抗感を櫛先端側でも良好に感じることができ好適となる。なお、図１４（ｂ）に示す場合でも、上述した図１４（ａ）で説明したように歯底深さが四箇所以上で異なるようにした例を適用でき、さらには、上述した図１１、１２等で説明した変形例の適用も可能である。
【００７９】
図１４（ｃ）は、図１３（ｃ）と同等の考え方に基づき、歯底深さの相違する各歯底が並ぶ順序をランダムにした例を示している。それにより図１４（ｃ）においても、各歯底２９Ａ〜２９Ｃで生じるテンションを分散させて、均等間のある逆毛を形成しやすくなる。なお、図１４（ｃ）に示す場合でも、上述した図１４（ａ）で説明したように歯底深さが四箇所以上で異なるようにした例を適用でき、さらには、上述した図１１、１２等で説明した変形例の適用も可能である。
【００８０】
なお、上述した図１４（ａ）〜（ｃ）に示す変形例等において、各歯底２９Ａ〜２９Ｃの形状は、図７に示すようにＹ軸方向における中央箇所を凸にした形状にすることが好適であるが、歯底で得られるテンションを分散させる場合などには、いずれかの歯底を図７に示す形状ではなく、フラットな形状にすることも可能である。このようにいずかの歯底をフラットな形状にすることは本発明に係る櫛全体に適用可能であり、その場合は、複数の歯底が存在する中で、複数に一つの割合でフラットな形状にすることがテンションの分散化を図る上で好適となる。また、中櫛歯間の歯底の構造（仕様）を簡易にする場合には、各歯底深さを同一にしてもよく、この場合は、逆毛を形成しやすくする観点で、二番目に深い歯底２９Ｂ又は最も深い２９Ａに深さを揃えることが好ましい（このような歯底形状の例は、図１等に示す櫛１にも勿論、適用可能である）。
【００８１】
図１５、１６は、櫛歯の配列数を、図３に示す場合と相違させた各例を示している。図１５（ａ）は櫛歯の配列数を計四列にした櫛を示す変形例であり、櫛本体２′の一方の側面２ｃ′と反対側の側面２ｄ′の側に、中櫛歯２０′を有する中櫛歯部材１０′を櫛本体２′へ新たに嵌め込むようにしたことが特徴であり、それにより一方の側面２ｃ′から他方の側面２ｄ′へ向けて、外櫛歯７、中櫛歯２０、外櫛歯８、中櫛歯２０′の計四列で各櫛歯の配列を形成している。図１５（ａ）に示す例では、図３に示す場合に比べて、中櫛歯２０′による配列が追加された構成になっており、上述した中櫛歯により得られるテンションの程度を倍にできることがメリットになる。
【００８２】
図１５（ｂ）は櫛歯の配列数を計五列にした櫛を示す変形例であり、図１５（ａ）に示す例に比べて、櫛本体２″の一方の側面２ｃ″と反対側となる側面２ｄ″の側に、外櫛歯９の配列を更に設けたことが特徴になっている。このように図１５（ｂ）に示す例では、外櫛歯７、８、９が計三列存在するので、図８に示すように毛髪が各外櫛歯７〜９及び中櫛歯２０、２０′に絡んで抵抗となる度合いを増加できるメリットがある。なお、四列以上の櫛歯の配列を設ける場合は、外櫛歯７（外櫛歯８）の列と中櫛歯２０の列が、Ｙ軸方向で交互に配置されるようにすることが、図８に示すような毛髪の絡み具合を生じさせる上で好適となる。
【００８３】
図１６（ａ）は櫛歯の配列数を計二列にした櫛を示す変形例であり、図３に示す場合に比べて、櫛本体１０２の一方の側面１０２ｃと反対側の側面１０２ｄの側には外櫛歯を設けず、中櫛歯部材１０のよる中櫛歯２０が配置されたことが特徴になっている。図１６（ａ）に示す例では、図３に示す場合に比べて、構造を簡易化できる上で、一方の側面１０２ｃ側には外櫛歯７が存在するので、図８に示すような毛髪が各外櫛歯及び中櫛歯に絡んで抵抗となる状況を依然として生じさせることができると共に、一列で存在する外櫛歯７を荒歯的に用いる用途にも対応できる。
【００８４】
図１６（ｂ）は櫛歯の配列数を一列にした櫛を示す変形例であり、図３に示す場合に比べて、櫛本体２０２の一方の側面２０２ｃの側に位置する外櫛歯、及び反対側の側面２０２ｄの側に位置する外櫛歯を省略して中櫛歯部材１０のよる中櫛歯２０のみを残した構成にしたことが特徴になっている。この図１６（ｂ）に示す例では、図３に示す場合に比べて、構造を非常に簡易化できるので、複雑な形状の中櫛歯２０を櫛本体５２と一体で成形しやすくなるというメリットが生じる（合成樹脂等による一体成形が容易になる。勿論、図１６（ｂ）以外の例でも合成樹脂等による櫛全体の一体成形は、技術的には可能である）。なお、上述した図１５、１６に示した中櫛歯２０（図１５（ａ）で示す中櫛歯２０′も含む）のいずれに対しても、上述した各変形例の構成を適用できる。
【００８５】
図１７は、外櫛歯の変形例を示し、外櫛歯１０７、１０８をそれぞれ中櫛歯３３０の方へ傾けて突設させた例を示す。このように外櫛歯１０７、１０８を傾けることで、中櫛歯３３０と各外櫛歯１０７、１０８の間隔が、図７に示す場合に比べて狭くなり、中櫛歯３３０と各外櫛歯１０７、１０８の間隔における毛髪に対する抵抗感を増加させやすくなる。なお、図１７では中櫛歯３３０としては、第一範囲部３３１をテーパー形状にすると共に、段差部３３２より下方の第二範囲部３３３をストレート形状にした例を示したが、上述した他の形状の中櫛歯を用いることも可能であり、また、図１７では、図７に示す歯底２５（中央箇所２５ａを凸にした歯底形状）を表したが、上述したように歯底におけるテンションが強すぎる場合は、歯底２５の上面をフラット気味の形状にしてもよい。
【００８６】
図１８は、本発明に係る構造を、図１に示す棒状の把持部４を有しない構成の櫛３５０に適用した例を示している。このように把持部を有しない櫛３５０であっても、櫛本体３５２の両側からＺ軸方向へ突設する両端の櫛保護部３５５ａ、３５５ｂの間に、図１６（ａ）に示すように、一列の中櫛歯２０を櫛本体３５２から突設させることが可能であり、この一列の中櫛歯２０により、上述した各メリットを生じさせることができる。なお、中櫛歯２０は、上述したように中櫛歯部材１０に設けて、櫛本体３５２に取り付ける構成にすること、又は櫛本体３５２と一体成形することのいずれも可能である。さらに、図１８に示す把持部を有しない櫛３５０でも、上述した複数列からなる櫛歯を構成すること、また上述した各種変形例を適用することが可能である。
【００８７】
図１９は、中櫛歯と外櫛歯の長さの関係が、図５に示す場合と逆になっている変形例の櫛４００を示している。櫛本体４０２の上面４０２ｆより突設するピン状の複数本の外櫛歯４０７（４０８）は、櫛本体４０２の先端よりＺ軸方向へ突出する櫛保護部４０５ａより短くなっている。一方、中櫛歯部材４１０に設けられた複数本の中櫛歯４２０（中櫛歯４３０、４４０、４５０で構成）は、図５、６等に示す各中櫛歯２０（中櫛歯３０、４０、５０）と同様に段差部４３２、４４２、４５２を形成しているが、各先端を櫛保護部４０５ａと同等にして、外櫛歯４０７（４０８）に比べて全長を長くしている。そのため、各中櫛歯４２０の先端（例えば、図１９中に示す中櫛歯４４０の先端４４０ａ）は、外櫛歯４０７の先端４０７ａに対して高さ寸法Ｈ′だけ、先端位置を高くしている。なお、中櫛歯間の各歯底４２５、４２６、４２７は、図５、６等に示す各歯底２５、２６、２７と同様にしている。また、図１９は変形例の櫛４００の一部を示しているが、図１９に示されていない範囲においても、中櫛歯４２０と、外櫛歯４０７（４０８）の関係は図１９に示す内容と同等になっている。
【００８８】
このような図１９に示す変形例の櫛４００は、中櫛歯４２０が、図５、６等に示す櫛１と同様に段差部４３２、４４２、４５２、及び底深さの相違する歯底４２５、４２６、４２７を形成しているので、容易に均等感のある逆毛を形成できる上、形成した逆毛の表面をなでつけて整える際には、外櫛歯４０７より長い各中櫛歯４２０の先端を密歯的に使うことができ、一本の櫛４００で、逆毛形成及び逆毛表面のなでつけ（整髪）の両方を行える点にメリットがある。なお、逆毛表面のなでつけ（整髪）は、表面のみを整えるだけなので、この整髪で使われる櫛歯の先端部分は、ごく短い寸法範囲に留まり、そのため図１９中に示す高さ寸法Ｈ′の数値例としては約１ｍｍ〜１０ｍｍの範囲が考えられ、一般的には１ｍｍ〜３ｍｍ程度もあれば、十分に逆毛表面のなでつけ（整髪）を行うのに十分である。
【００８９】
また、逆毛表面のなでつけ（整髪）を行う観点から、中櫛歯４２０の各先端は同一高さにしておくことが好適であり、そのため、上述した各変形例の中で、図１３（ａ）〜（ｃ）に示す先端高さ以外の変形例であれば、図１９に示す櫛４００にも適用可能であり、また、図１８に示す把持部を有しないタイプにも図１９に示す変形例の構成は勿論適用できる。
【００９０】
図２０は、中櫛歯と外櫛歯の長さの関係について、図５に示す場合と、図１９に示す場合とを組み合わせた構成の変形例の櫛５００を示している。すなわち、櫛５００は、櫛本体５０２の長手方向（Ｘ軸方向）の両側に設けた櫛保護部５０５ａ、５０５ｂに囲まれた範囲において、先端側となる櫛保護部５０５ａ寄りの第１範囲５００ａを、図１９に示す構成と同等にすると共に、把持部５０４側となる櫛保護部５０５ｂ寄りの第２範囲５００ｂを、図５に示す構成と同等にしている。
【００９１】
具体的に、櫛５００における複数本の中櫛歯の中で第１範囲５００ａに位置する中櫛歯５２０は、図１９に示す中櫛歯４２０と同等の構成になっており、外櫛歯５０７（５０８）に比べて長く形成されており、一方、第２範囲５００ｂに位置する中櫛歯６２０は、図５に示す中櫛歯２０と同等の構成になっており、外櫛歯５１７（５１８）に比べて短く形成されている。なお、第１範囲５００ａに位置する外櫛歯５０７（５０８）は、図１９に示す外櫛歯４０７（４０８）と同様に、櫛保護部５０５ａより短く形成されており、一方、第２範囲５００ｂに位置する外櫛歯５１７（５１８）は、図５等に示す外櫛歯７（８）と同様に、櫛保護部５０５ａ（５０５ｂ）と同等の長さに形成されている。また、第１範囲５００ａの中櫛歯５２０と、第２範囲５００ｂの中櫛歯６２０は、共に同一の中櫛歯部材５１０に設けられている。変形例の櫛５００は、上述した箇所以外は、図１等に示す櫛１と同等の構成になっている。
【００９２】
このような図２０に示す変形例の櫛５００は、第１範囲５００ａが図１９と同等の構成であることから、第１範囲５００ａの中櫛歯５２０の先端部分を密歯として逆毛表面のなでつけ（整髪）に用いることができ、また、第２範囲５００ｂの中櫛歯６２０及び外櫛歯５１７（５１８）を中心にして効率的に均等感のある逆毛を形成できる上、さらに、第２範囲５００ｂの外櫛歯５１７（５１８）の先端部分を荒歯として用いることもでき、一本の櫛５００を多様に使うことができる点で、変形例の櫛５００はメリットがある。なお、櫛５００においては、第１範囲５００ａに対しては、図１９で説明した場合と同等の変形例の適用が可能であり、第２範囲５００ｂに対しては、上述した各種変形例の適用が可能であり、また、図１８に示す把持部を有しないタイプにも図２０に示す変形例の構成は適用できる。
【産業上の利用可能性】
【００９３】
本発明にあっては、毛髪を梳く際に、櫛歯、櫛歯間、歯底等で抵抗が生じやすい工夫を施したので、逆毛セットの際に良好なテンションが得られ、効率良く逆毛を形成しやすくなると共に、形成される逆毛の均等感も良好となり好適である。
【符号の説明】
【００９４】
１  櫛
２  櫛本体
４  把持部
７、８  外櫛歯
１０  中櫛歯部材
１１  ベース部
２０  中櫛歯
２５  第１歯底
２６  第２歯底
２７  第３歯底
３０  第１中櫛歯
３１  第一範囲部
３２  段差部
３３  第二範囲部
４０  第２中櫛歯
５０  第３中櫛歯
【図１】
0006007338.tif 000002
【図２】
0006007338.tif 000003
【図３】
0006007338.tif 000004
【図４】
0006007338.tif 000005
【図５】
0006007338.tif 000006
【図６】
0006007338.tif 000007
【図７】
0006007338.tif 000008
【図８】
0006007338.tif 000009
【図９】
0006007338.tif 000010
【図１０】
0006007338.tif 000011
【図１１】
0006007338.tif 000012
【図１２】
0006007338.tif 000013
【図１３】
0006007338.tif 000014
【図１４】
0006007338.tif 000015
【図１５】
0006007338.tif 000016
【図１６】
0006007338.tif 000017
【図１７】
0006007338.tif 000018
【図１８】
0006007338.tif 000019
【図１９】
0006007338.tif 000020
【図２０】
0006007338.tif 000021
【図２１】
0006007338.tif 000022